(57)【要約】  既存コンテンツを異なる情報端末で視聴するには、それぞれの情報端末に合わせた形式に変換することで実現されるが、双方向性に対するインタラクションの実現が未解決である。あらゆる情報受信端末でのコンテンツ視聴を実現するため、コンテンツ再生／キャプチャ処理部、コンテンツ変換部、変換された映像コンテンツ情報から、リモコンの操作オブジェクトを抽出するコンテンツ解析処理部、配信処理部、インタラクション解析/制御部を備える。インタラクション解析／制御部は、情報受信端末側のリモコン装置の操作情報を取得し、コンテンツ解析処理部でリアルタイムに抽出された操作オブジェクトとの対応情報をデータベース上で保持し、コンテンツ再生/キャプチャ処理部のコンテンツ情報をリアルタイムに制御する。
2011068055.tif 000002
【特許請求の範囲】
【請求項１】
情報受信端末装置にコンテンツを配信する情報配信装置であって、
前記情報受信端末装置の指示を解析するインタラクション解析／制御部と、
前記インタラクション解析／制御部の制御に従い、コンテンツデータを再生するコンテンツ再生処理部と、
前記情報受信端末装置の装置情報をもとに前記コンテンツデータの形式を変換するコンテンツ変換部と、
前記コンテンツデータを解析し、前記コンテンツデータ中のオブジェクトを抽出し、前記コンテンツ変換部で変換された前記コンテンツデータに、抽出した前記オブジェクトをオーバーレイするコンテンツ解析処理部と、
前記オブジェクトがオーバーレイされた前記コンテンツデータを配信する配信処理部を具備する、
ことを特徴とする情報配信装置。
【請求項２】
請求項１に記載の情報配信装置であって、
前記コンテンツ解析処理部は、前記コンテンツ変換部で変換された前記コンテンツデータを解析して、前記オブジェクトを得る、
ことを特徴とする情報配信装置。
【請求項３】
請求項１に記載の情報配信装置であって、
前記コンテンツ解析処理部は、前記コンテンツ再生処理部で再生された前記コンテンツデータを解析して、前記オブジェクトを得る、
ことを特徴とする情報配信装置。
【請求項４】
請求項１に記載の情報配信装置であって、
記憶部を更に備え、
前記記憶部は、前記オブジェクトの画面位置情報と操作内容情報の対応付けを行うデータベースを蓄積する、
ことを特徴とする情報配信装置。
【請求項５】
請求項４に記載の情報配信装置であって、
前記オブジェクトは操作オブジェクトであり、
前記データベースは、前記コンテンツデータを受信する前記情報受信端末装置を制御するコントローラの操作コード情報を、前記操作オブジェクトに対応付けして記憶する、
ことを特徴とする情報配信装置。
【請求項６】
請求項１に記載の情報配信装置であって、
前記インタラクション解析／処理部は、前記情報受信端末装置の指示が、前記オブジェクトの選択である場合、選択された前記オブジェクトに対応して、前記コンテンツデータの切替を行うよう前記コンテンツ再生処理部を制御する、
ことを特徴とする情報配信装置。
【請求項７】
情報受信端末装置にコンテンツを配信する情報配信装置であって、
コンテンツデータを処理する処理部と、記憶部を備え、
前記処理部は、
前記情報受信端末装置からの指示に基づきコンテンツデータを再生し、
前記情報受信端末装置の装置情報に従い、再生した前記コンテンツデータの形式を変換し、
前記コンテンツデータを解析し、前記コンテンツデータ中のオブジェクトを抽出し、
変換された前記コンテンツデータに、抽出した前記オブジェクトをオーバーレイ処理し、オーバーレイ処理した前記コンテンツデータを配信する、
ことを特徴とする情報配信装置。
【請求項８】
請求項７に記載の情報配信装置であって、
前記処理部は、
前記情報受信端末装置からの前記指示が、オーバーレイされた前記オブジェクトの選択に基づく場合、選択された前記オブジェクトに対応して前記コンテンツデータの切替を行う、
ことを特徴とする情報配信装置。
【請求項９】
請求項７に記載の情報配信装置であって、
前記オブジェクトは操作オブジェクトであることを特徴とする情報配信装置。
【請求項１０】
請求項７に記載の情報配信装置であって、
前記オブジェクトは領域オブジェクトであることを特徴とする情報配信装置。
【請求項１１】
請求項１０に記載の情報配信装置であって、
前記領域オブジェクトが、前記情報受信端末装置の表示部の表示画面に、前記情報受信端末装置を制御するコントローラの操作コード情報に対応付けて表示されるオブジェクトである、
ことを特徴とする情報配信装置。
【請求項１２】
請求項７に記載の情報配信装置であって、
前記記憶部は、前記オブジェクトと操作内容情報の対応付けを行うデータベースを蓄積する、
ことを特徴とする情報配信装置。
【請求項１３】
情報受信端末装置にコンテンツを配信する処理部を備えた情報配信装置における双方向操作処理方法であって、
前記処理部は、
前記情報受信端末装置からの指示に基づきコンテンツデータを再生し、
前記情報受信端末装置の装置情報に従い、再生した前記コンテンツデータの形式を変換し、
前記コンテンツデータを解析し、前記コンテンツデータ中のオブジェクトを抽出し、変換された前記コンテンツデータに、抽出した前記オブジェクトをオーバーレイ処理し、
オーバーレイ処理した前記コンテンツデータを前記情報受信端末装置に配信する、
ことを特徴とする双方向操作処理方法。
【請求項１４】
請求項１３の双方向操作処理方法であって、
前記処理部は、
前記コンテンツデータを解析し、
前記情報受信端末装置をコントロールするリモコン装置のキーに対応した操作オブジェクトを前記オブジェクトとして抽出する、
ことを特徴とする双方向操作処理方法。
【請求項１５】
請求項１３の双方向操作処理方法であって、
前記処理部は、
前記コンテンツデータを解析し、
前記情報受信端末装置をコントロールするリモコン装置のキー配列に対応した領域オブジェクトを前記オブジェクトとして抽出する、
ことを特徴とする双方向操作処理方法。
【請求項１６】
請求項１２の双方向操作処理方法であって、
前記処理部は、
前記情報受信端末装置の指示が、前記オブジェクトの選択である場合、選択された前記オブジェクトに対応して、前記コンテンツデータの切替を行う、
ことを特徴とする双方向操作処理方法。
【請求項１７】
請求項１３の双方向操作処理方法であって、
前記処理部は、
再生した前記コンテンツデータの種類に基づき、前記オブジェクト抽出のために解釈する前記コンテンツデータとして、形式変換前後の何れかのコンテンツデータを選択する、
ことを特徴とする双方向操作処理方法。
【発明の詳細な説明】
【技術分野】
【０００１】
本発明は、利用者の操作による双方向操作処理を行う情報配信システム、特に情報配信システムにおける利用者のリモコン等の操作制御を容易にする情報配信技術に関する。
【背景技術】
【０００２】
近年、アイピーティービー（Internet Protocol Television：ＩＰＴＶ）による双方向性の情報提供システムとしてビデオオンデマンド（Video on Demand：ＶＯＤ）視聴、ＴＶ向けサービスが普及し始めており、センタ設備のコンテンツ提供サーバ側でリモコンのみでの操作環境を快適にし、付随情報であるサムネールが自動的に予告編のコンテンツを再生するなどリモコン操作によるメニュー選択の煩わしさを解消するコンテンツ提供サーバ、コンテンツの提供方法が提案されている（特許文献１参照）。また、映像に含まれるテロップなどの情報をもとにキーワードの抽出を実現する方法が映像のサーチ、シーン検索を目的として提案されている（特許文献２参照）。
【先行技術文献】
【特許文献】
【０００３】
【特許文献１】特開２００９−９３３５７号公報
【特許文献２】特開２００５−２３４７８６号公報
【発明の概要】
【発明が解決しようとする課題】
【０００４】
上述した従来の情報配信システムにおいては、要求があった映像を配信する情報配信サーバ側での情報受信端末装置へのコンテンツ提供方法が提案されている。しかし、従来のＴＶに付属するリモコン装置においては、双方向性の高いコンテンツ操作を行っていないため、一定時間操作が無かった場合には、配信サーバが予告編のコンテンツを自動的に提供する開示に止まり、パソコン（Personal Computer：ＰＣ）用に製作された双方向性の高いコンテンツのインタラクティブ性（対話性）を実現する為の検討がなされていない。同様に従来のＩＰＴＶ向けのサービスにおいては、リモコンの数字キーに対応したコンテンツへの作り替えが必要となり、既存のコンテンツの活用等への配慮がされていない。また、映像に限らず既存コンテンツを異なる情報端末、ＴＶや携帯端末で視聴するには、それぞれの情報端末に合わせた形式に変換をかけることで実現されているが、双方向性に対するインタラクションに配慮はなされていない。【０００５】
本発明の目的は、受信端末の利用者の操作により、双方向性の高いコンテンツ視聴におけるインタラクション機能を、情報を配信するセンタ側で提供することが可能な情報配信装置、情報配信システム、及び双方向操作処理方法を構築することにある。
【課題を解決するための手段】
【０００６】
上記の目的を達成するため、本発明においては、情報受信端末装置にコンテンツを配信する情報配信装置を、情報受信端末装置の指示を解析するインタラクション解析／制御部と、インタラクション解析／制御部の制御に従い、コンテンツデータを再生するコンテンツ再生処理部と、情報受信端末装置の装置情報をもとにコンテンツデータの形式を変換するコンテンツ変換部と、コンテンツデータを解析し、コンテンツデータ中の操作オブジェクトや領域オブジェクトなどのオブジェクトを抽出し、コンテンツ変換部で変換されたコンテンツデータに、抽出したオブジェクトをオーバーレイするコンテンツ解析処理部と、操作オブジェクトがオーバーレイされたコンテンツデータを配信する配信処理部を具備するよう構成する。【０００７】
また、上記の目的を達成するため、情報受信端末装置にコンテンツを配信する情報配信装置であって、コンテンツデータを処理する処理部と、記憶部を備え、処理部は、情報受信端末装置からの指示に基づきコンテンツデータを再生し、情報受信端末装置の装置情報に従い、再生した前記コンテンツデータの形式を変換し、コンテンツデータを解析し、コンテンツデータ中のオブジェクトを抽出し、変換されたコンテンツデータに、抽出したオブジェクトをオーバーレイ処理し、オーバーレイ処理したコンテンツデータを配信するよう構成する。【０００８】
さらに、上記の目的を達成するため、情報受信端末装置にコンテンツを配信する処理部を備えた情報配信装置における双方向操作処理方法を、処理部が、情報受信端末装置からの指示に基づきコンテンツデータを再生し、情報受信端末装置の装置情報に従い、再生した前記コンテンツデータの形式を変換し、コンテンツデータを解析し、コンテンツデータ中のオブジェクトを抽出し、変換されたコンテンツデータに、抽出したオブジェクトをオーバーレイ処理し、オーバーレイ処理したコンテンツデータを情報受信端末装置に配信することを特徴とする双方向操作処理方法を提供する。【０００９】
すなわち、上記の目的を達成するため、本発明の好適な一態様において、利用者のリモコン操作による情報要求操作に対応し、双方向操作をリアルタイムに処理するための情報配信システムを、リモコン操作情報を取得するインタラクション解析/制御部と、あらゆる情報受信端末でのコンテンツ視聴を実現するためのコンテンツ変換部と、コンテンツ再生/キャプチャ処理部と、コンテンツ変換部により変換された映像コンテンツ情報から、リモコンの操作オブジェクトを抽出するコンテンツ解析処理部と、コンテンツの配信処理部を備え、インタラクション解析／制御部は、取得したリモコン操作情報と、リアルタイムにコンテンツ解析処理部より抽出された操作オブジェクトとの対応情報を保持、更新を行うと共に、コンテンツ再生/キャプチャ処理部が再生するコンテンツ情報をリアルタイムに制御する構成とする。【００１０】
また、本発明の他の好適な態様においては、上記目標を達成するため、情報受信端末の表示部をリモコン、携帯端末などの数字キー配列に対応した領域オブジェクト情報と連携可能な構成とする。【００１１】
さらに、本発明の他の好適な態様においては、上記目的を達成するため、コンテンツ解析処理部は、文字情報などのテロップ、メニューボタンなどの操作オブジェクトを解析する機能とインタラクション解析/制御部で作成されるキーコードと操作オブジェクト、操作オブジェクトの画面情報、リモコンのキーコードの対応表を備える構成とする。【００１２】
またさらに、リモコンの数字キーに限らず、操作ボタンを操作オブジェクト、領域オブジェクトに一対一に対応するように制御する構成を有する。
【発明の効果】
【００１３】
本発明によれば、コンテンツ再生後にキャプチャされたコンテンツの形式変換により、再生視聴可能であるが双方向性が失われるコンテンツにおいても、操作環境を失う事無く、操作オブジェクトを直接制御可能とする操作性の高い双方向情報配信システムを提供することができる。
【図面の簡単な説明】
【００１４】
【図１】各実施例に係る情報配信システムの全体構成の一例を示す図である。
【図２】第１の実施例に係わる、情報配信システムの一構成を示す機能ブロック図である。
【図３】第1の実施例に係わる、再生/キャプチャコンテンツ表示の一例を示す図である。
【図４】第1の実施例に係わる、キャプチャ映像解析結果コンテンツ表示の一例を示す図である。
【図５】第1の実施例に係わる、キーコードオーバーレイ表示の一例を示す図である。
【図６Ａ】第１の実施例に係わる、操作オブジェクト/キーコード表の一例を示す図である。
【図６Ｂ】第１の実施例に係わる、操作オブジェクト画面位置情報の一例を示す図である。
【図７Ａ】第1の実施例に係わる、情報配信システムの処理フローの一例を示す図である。
【図７Ｂ】第1の実施例に係わる、情報配信システムの処理フローの一例を示す図である。
【図８】第２の実施例に係わる、再生/キャプチャコンテンツ表示の一例を示す図である。
【図９】第２の実施例に係わる、キーコードオーバーレイ表示の一例を示す図である。
【図１０】第２の実施例に係わる、キーコードオーバーレイ表示の他の例を示す図である。
【図１１】第２の実施例に係わる、操作オブジェクト/領域オブジェクトとキーコード表の一例を示す図である。
【図１２Ａ】第２の実施例に係わる、ＴＶリモコンの数字キーの配列の一例を示す図である。
【図１２Ｂ】第２の実施例に係わる、携帯端末の数字キーの配列の一例を示す図である。
【図１３】第２の実施例に係わる、情報配信システムの処理フローの一例を示す図である。
【図１４】各実施例に係る、情報配信装置のハードウェア構成の一例を示す図である。
【図１５】第２の実施例の変形例に係る、キーコードオーバーレイ表示の一例を示す図である。
【図１６】第３の実施例に係る、サービスポータルによるサービス提供時の全体システムの一構成を示す図である。
【図１７】第３の実施例に係る、サービス提供時の処理シーケンスの一例を示す図である。
【発明を実施するための形態】
【００１５】
以下、本発明の実施の形態を図面に従い説明する。なお、以下の説明において、本発明の情報配信システムにおける情報の配信を行う情報配信装置のみを、情報配信システムと呼ぶ場合がある。また、インタラクションとは、利用者の操作や行動などのアクションに対して相手側の機器あるいはシステムがそのアクションに対応したリアクションを行うことやその逆を行うことを意味する。なお、本明細書において、情報配信装置の処理部が実行する各種のプログラムを、「部」、「機能」と呼ぶ場合がある。例えば、コンテンツ解析処理プログラムを、「コンテンツ解析処理部」、「コンテンツ解析処理機能」などと称する。さらに、操作オブジェクトと領域オブジェクトを総称してオブジェクトと呼ぶ場合がある。
【実施例１】
【００１６】
第１の実施例は、情報配信装置中のコンテンツ解析処理部において操作オブジェクトを抽出し、情報受信端末装置のリモコン装置で代表されるコントローラのインタラクションをリアルタイムに制御することを可能とする情報配信システムである。この操作オブジェクトとは、後で詳述するようにコンテンツ情報中に含まれる操作のためのボタン情報やリンク情報である。この操作オブジェクトは、コンテンツデータにコンピュータグラフィック（Computer Graphics：ＣＧ）などのプログラム言語が含まれる場合、コンテンツ変換前のコンテンツデータ中のプログラムに含まれるスクリプトからボタン情報、リンク情報として解釈・抽出できる。また、コンテンツデータが映像、静止画、テキストなどの混在コンテンツの場合、コンテンツ変換後のコンテンツデータから操作オブジェクトが抽出できる。【００１７】
図１は、本実施例の情報配信システムの全体構成の一例を示す。また、図２は図１の情報配信システム中の情報配信装置の具体的な一構成を示す図である。【００１８】
図１において、１００はＩＰＴＶなどの情報受信端末装置、１０１は情報受信端末装置１００を制御するコントローラであるリモコン装置、１０２は情報受信端末装置に情報サービスを提供するための情報配信装置、１０３は各種装置を接続する通信網であるインターネットを示す。【００１９】
図２は情報配信装置１０２の一構成例を示す機能ブロック図である。【００２０】
同図において、２０１は一般のＰＣで再生されるＦｌａｓｈ（登録商標）コンテンツなどの再生を行い、そのコンテンツ画面情報を取得するコンテンツ再生処理部として機能するコンテンツ再生／キャプチャ処理部、２０２は情報受信端末装置１００の装置情報をもとにコンテンツの形式を変換するコンテンツ変換部である。コンテンツ変換部２０２はこの装置情報を図２ではインタラクション解析／制御部２０５から取得しているが、情報受信端末装置１００から直接受けとるよう構成することもできる。【００２１】
２０３は例えば情報受信端末装置１００がＴＶである場合にＭＰＥＧ−２、Ｈ．２６４などの映像ストリーム情報を解析して抽出した、リモコンに操作を可能とする操作オブジェクト情報と、コンテンツデータのオーバーレイ（重ね合わせ表示）を行うコンテンツ解析処理部、２０４はインターネット１０３に操作オブジェクト情報とコンテンツのオーバーレイ（重ね合わせ表示）の結果を配信する配信処理部である。【００２２】
インタラクション解析／制御部２０５はインターネット１０３に接続され、情報提供の要求を行う情報受信端末装置１００の装置情報を初期接続時に取得し、さらに利用者が操作するリモコン装置１０１の操作情報を常時受信し、利用者の要求（アクション）に応じたコンテンツ選択指示をするとともに、選択されたコンテンツを、要求を出した情報受信端末装置１００に最適な形式に変換するコンテンツ変換部２０２の制御を行う。【００２３】
また、インタラクション解析／制御部２０５は、情報受信端末装置１００の機器情報の保持、蓄積、更新などの管理、運用情報や、配信処理部２０４から配信しているコンテンツ情報に対するリモコン装置１０１の操作を解析し、コンテンツ解析処理部２０３で抽出された操作オブジェクト情報を取得し、コントローラのコード情報であるリモコンからのキーコード情報や、操作オブジェクトの画面位置情報をデータベース化する。さらに、選択指示されたコンテンツの種類に応じて、コンテンツ解析処理部２０３の操作オブジェクト抽出対象としてコンテンツ変換前後の何れかのコンテンツとするよう制御する。【００２４】
コンテンツ再生処理部であるコンテンツ再生／キャプチャ処理部２０１はコンテンツのデータを保持する記憶部としてのディスクアレイ装置を備えても構わないし、インターネット１０３を経由してコンテンツプロバイダ等から提供するコンテンツを取得しても構わない。いずれにしろ、ディスクアレイ装置等の記憶部あるいはコンテンツプロバイダからの提供コンテンツの再生を行う機能を有する。【００２５】
図１４に本実施例の情報配信装置１０２のハードウェア構成の一例を示す。同図に見るように、情報配信装置は通常のコンピュータであるＰＣやサーバなどにより構成可能である。同図において、１４１は各種のプログラムを実行処理する処理部である中央処理部（Central Processing Unit：ＣＰＵ）、１４２はプログラムやデータ等の記憶部であるメモリ、１４３はキーボードやマウスなどの入力部、１４４はディスプレイなどの出力部、１４５はＩ／Ｏインタフェース部である。メモリ１４２としては、通常の半導体メモリや上述したディスクアレイ装置などが使用される。ＣＰＵ１４１は、上述したコンテンツ再生／キャプチャ制御部２０１、コンテンツ変換部２０２、コンテンツ解析処理部２０３、配信処理部２０４、インタラクション解析／制御部２０５の各機能ブロックを、メモリ１４２等に記憶されたプログラムの実行によって実現することができる。すなわち、コンテンツ再生／キャプチャプログラム、コンテンツ変換プログラム、コンテンツ解析処理プログラム、配信処理プログラム、インタラクション解析／制御プログラムで構成する。なお、出力部である表示部１４４は場合に応じて省略可能である。【００２６】
なお、図示は省略するが、システムを構成する情報受信端末装置１００も同様なハードウェア構成で実現することができる。ただ、情報受信端末装置１００はリモコン装置１０１のキー操作に関する信号を受信する無線センサや赤外線センサ等を入力部として、またディスプレイを出力部として有することは言うまでもない。【００２７】
図３は、情報配信装置１０２で配信する原コンテンツとなる再生／キャプチャコンテンツの一例を模式的に示している。すなわち、３０１は一般的なＰＣ等の再生機能とディスプレイを有する装置でコンテンツを再生する場合に、ディスプレイに表示される再生コンテンツのコンテンツデータを取り込むための原コンテンツ情報である再生／キャプチャコンテンツを示している。この再生／キャプチャコンテンツ３０１中、３０２はお勧めサイトのリンクボタン、３０３は進むボタン、３０４は戻るボタン情報を示している。なお、これらのボタン３０２、３０３、３０４は、先に述べたように画像データとして取り込まれたキャプチャコンテンツであり、映像コンテンツとなり、ボタン押下によるインタラクションを制御することはできないコンテンツ画像データである。【００２８】
これらのボタン３０２、３０３、３０４は、そのボタン情報として、お勧めボタン３０２のようにボタンを押下することで他のサイトへの変更を行い、進むボタン３０３、戻るボタン３０４のようにコンテンツの操作を行うものであり、これらのボタン情報は、先に説明したようにコンテンツに含まれるテロップのようなテキスト情報、そのコンテンツに関連するメタ情報などであっても構わない。【００２９】
本実施例においては、このように情報配信装置１０２のコンテンツ再生／キャプチャ処理部２０１で、コンテンツを再生／キャプチャし、所定の形式にコンテンツ変換することで、情報受信端末装置１００の装置情報に応じたコンテンツ形式に対応することにより、多様な情報端末受信装置１００へのコンテンツ情報の提供を可能とするものである。【００３０】
図４は本実施例における情報配信装置１０２で配信する再生／キャプチャコンテンツのキャプチャ映像をコンテンツ解析処理部２０３で解析した結果の一例を模式的に示している。同図において、４０１はお勧めサイトボタン３０２を映像コンテンツから解析した結果の操作オブジェクト１である。４０２は進むボタン３０３を映像コンテンツから解析した結果の操作オブジェクト２、４０３は操作を映像コンテンツから解析した結果の操作オブジェクトＮである。コンテンツ解析処理部２０３は、本来原コンテンツで提供されていたこれらの操作オブジェクトの情報を、再生／キャプチャコンテンツ３０１から抽出し、原コンテンツのデータとコンテンツ画面での位置を示す矩形情報として、元データから切り出し、インタラクション解析／制御部で操作ボタンであるお勧めサイト３０２、進むボタン３０３、戻るボタン３０４との対応データベース化を行う。【００３１】
図５は本実施例における、情報配信装置１０２の配信処理部２０４で配信するリモコン装置１０１のキーコードオーバーレイ表示（重ね合わせ表示）の一例を示している。５０１は操作オブジェクト１に対応するキーコード１、５０２は操作オブジェクト２に対応するキーコード２、５０３は操作オブジェクトＮに対応するキーコードＮである。コンテンツ解析処理部２０３は、情報受信端末装置１００の装置情報並びにリモコン装置１０１のアクションであるキーコード情報をもとにキャプチャ映像解析結果のコンテンツ情報から抽出した操作オブジェクト情報との対応表を生成する。【００３２】
図６Ａの６００は、上述したコンテンツ解析処理部２０３で生成する操作オブジェクト／キーコード表のデータベース（Data Base：以下、ＤＢと称する）テーブルの一例を示す。６０１，６０２，６０３，６０４はそれぞれ、操作オブジェクト情報、操作内容情報、始点、終点の座標を示す操作オブジェクト画面位置情報Ｌｎ（Ｘｓｎ，Ｙｓｎ：Ｘeｎ、Ｙeｎ）、リモコン装置１０１のキーコード情報を示す。【００３３】
図６Ｂは、図６Ａに示した操作オブジェクト画面位置情報６０３の位置関係の一例を模式的に示す図である。【００３４】
図６Ａにおいて、操作オブジェクト情報６０１は、コンテンツ解析処理部２０３で抽出した操作オブジェクト毎に付与される。本実施例における操作オブジェクト情報６０１それぞれに対応する操作内容情報６０２は、コンテンツ再生／キャプチャ処理部２０１で原コンテンツの再生処理時に取得するお勧めボタン３０２、進むボタン３０３、戻るボタン３０４などの操作内容を表す。また、操作オブジェクト画面位置情報６０３は操作オブジェクトの画面位置情報を表し、図６Ａ、６Ｂにおいては、操作オブジェクトの矩形領域情報の左上、右下の座標情報として表している。この位置情報６０３は、図６Ｂに例示するように、操作オブジェクト４０１の左上の位置情報をＬ1（Ｘs1、Ｙs1）、右下の位置情報をＬ1（Ｘe１，Ｙe１）、同様に操作オブジェクトＮの左上の位置情報をＬn（Ｘsｎ、Ｙsｎ）、右下の位置情報をＬn（Ｘeｎ、Ｙeｎ）と表している。【００３５】
キーコード情報６０４は、本実施例においてはリモコン装置１０１のキーコードを表し、リモコン装置１０１の数字キーなどのボタンと対応してＤＢ化を行う。このＤＢ６００により、映像化されたキャプチャコンテンツの操作オブジェクトとリモコン装置１００のキーコードの対応が可能となり、情報受信端末装置１００のリモコン装置１０１のアクションに対応する操作情報をもとに、インタラクション解析／制御部２０５がコンテンツ再生／キャプチャ処理部２０１を制御することで、情報受信端末装置１００のリモコン装置１０１によるコンテンツ操作アクションのインタラクティブ性の確保が可能となる。なお、このＤＢ６００は、情報配信装置１０２を構成する各制御部、処理部が共有できる形で具備されていれば良く、例えば図１４のメモリ１４２に記憶することにより、ＣＰＵ１４１が実行する各種のプログラムでアクセス可能な状態を得ることができることは言うまでもない。【００３６】
また利用者数に応じて情報配信装置１０２のそれぞれの機能ブロックを分離し、複数のＰＣ等のコンピュータ上にそれぞれの機能を構築しても、複数の機能をまとめて制御するＰＣの機能で実現しても構わない。【００３７】
次に、図７Ａ、７Ｂにより、本実施例の情報配信装置１０２における、コンテンツ再生／キャプチャ処理部２０１、コンテンツ変換部２０２、コンテンツ解析処理部２０３、配信処理部２０４の各機能ブロックの処理フローを説明する。【００３８】
まず、図７Ａの処理フローを用いて、本実施例のシステムの情報サービスにおける主要処理ルーチンについて説明する。電源ＯＮ後、初期画面から処理がスタートする（Ｓ７０１）と、まずたとえばネット接続ボタンの押下によるポータルアクセス操作（Ｓ７０２）を行い、サービス契約者であるかどうか判定するためのログイン認証コードをリモコン装置１０１、情報端末装置１００から送付し、ログイン認証（Ｓ７０３）とログインユーザ判定（Ｓ７０４）を行うことでサービス享受の準備が完了する。正規の契約ユーザで無い場合やログイン情報を誤って入力した場合（Ｎｏ）には、ログイン認証の処理に戻り再度、ログイン認証する処理を行う。サービス享受ユーザである場合（Ｙｅｓ）には情報端末装置１００の装置情報を送付、判定（S７０５）し、サービスポータル画面を表示（Ｓ７０６）し、利用者がアクションとしてコンテンツ選択（Ｓ７０７）を行い、コンテンツ視聴開始（Ｓ７０８）を行う。なお、コンテンツ視聴開始後の処理、すなわち図７Ａの丸Ａの処理については後で図７Ｂを用いて詳述する。【００３９】
コンテンツ視聴開始後、図７Ｂの処理、もしくは実施例２の図１３の処理を実施し、本サービスの終了となる視聴終了、メニュー変更（Ｓ７０９）の判定処理を行い、終了（Ｓ７１０）もしくはコンテンツ選択（Ｓ７０７）に戻るように動作する。複数のサービス事業者に対応するポータルアクセスは同様のプロセスで実施でき、ポータルアクセス操作（Ｓ７０２）により任意のポータルへのアクセスを可能とする。【００４０】
次に、図７Ｂを用いて、コンテンツ視聴開始後の処理、すなわち図７Ａの丸Ａの処理について述べる。まず、図７Ｂの処理フローにおいて、処理がスタートする（Ｓ１００１）と、リモコン装置１０１の操作情報に基づき、インタラクション解析／制御部２０５が制御し、コンテンツ再生／キャプチャ処理部２０１おいてコンテンツの再生／キャプチャが開始される（Ｓ１００２）。本実施例におけるコンテンツ再生／キャプチャ操作は、限られた装置で再生できるコンテンツデータを、そのままでは再生できなかった任意の装置で再生可能とするために、まず再生可能な装置で再生し、そのコンテンツ情報を抽出する処理のことである。たとえば、Ｆｌａｓｈ（登録商標）のコンテンツは、ＰＣで再生可能であるが、現行のＴＶでは再生できないため、ＰＣで再生したＦｌａｓｈ（登録商標）コンテンツのコンテンツ情報を抽出する処理である。これは、セキュリティ機能を強化したハードディスク装置を搭載しないシンクライアントＰＣにおいて、手元のＰＣにサーバからコンテンツ情報をリモートで入手し、手元の装置で再生する処理と同様である。【００４１】
この時点では、センタ側で再生、キャプチャされるコンテンツデータは、図３に示した通りのコンテンツになり、インタラクティブ操作が可能な、お勧めサイトボタン３０２や進む３０３、戻るボタン３０４が有効な形で再生されている。そして情報受信端末装置１００の装置情報に基づき、コンテンツの変換処理（Ｓ１００３）を行い、情報受信端末装置１００で視聴可能なコンテンツ形式、例えばＴＶの場合には、キャプチャコンテンツからＭＰＥＧ−２、Ｈ．２６４と解像度などが最適に変換される。この時点では先に述べた図４に示す通りになり、インタラクティブ操作ボタンが１つの映像となる。【００４２】
本実施例においては、任意の情報受信端末装置１００において、既存の従来再生できなかったコンテンツを、センタすなわち情報配信装置側でコンテンツ変換処理（Ｓ１００３）し、任意の情報受信端末装置で再生可能とするとともに、インタラクティブ性を損なわずに提供する。そのため、コンテンツ解析処理部２０３において再生されたキャプチャコンテンツ情報を解析し、コンテンツに含まれるお勧めサイトボタン３０２などの操作オブジェクトの抽出処理（Ｓ１００４）を行う。その結果、操作オブジェクトが存在する場合には、操作オブジェクト／キーコード表生成（Ｓ１００５）が実行され、コンテンツ解析処理部２０において図５に示したように操作オブジェクト／キーコードオーバーレイ処理（Ｓ１００６）を実行する。これにより任意の情報受信端末装置１００が再生可能なコンテンツに変換するとともに、任意の情報受信端末装置でのインタラクティブ操作の実現を可能にする。【００４３】
なお、以上の処理フローにおいて、コンテンツ再生／キャプチャ処理Ｓ１００２の後、コンテンツ変換処理（Ｓ１００３）を行ってから、コンテンツ解析、操作オブジェクト抽出処理（Ｓ１００４）を行っているが、先に説明したように本来原コンテンツで提供されていたこれらの操作オブジェクトの情報を、変換前の原コンテンツから直接抽出可能な場合においては、コンテンツ再生処理で得た原コンテンツから操作オブジェクト抽出を行うよう、コンテンツ解析処理部２０の処理対象を制御部２０５が制御する。【００４４】
つぎにユーザによるアクションであるインタラクティブ操作オブジェクトの選択判定処理（Ｓ１００７）を行い、操作オブジェクト選択無し（Ｎｏ）の場合にはコンテンツの続きの有無判定を行い（Ｓ１０１４）、続きが有る場合（Ｙｅｓ）には処理を続行し、続きが無い場合（Ｎｏ）には、終了（Ｓ１０１５）し、図７Ａの処理に移行し、視聴終了メニュー変更（Ｓ７０９）に遷移する。【００４５】
また、インタラクティブ操作オブジェクト選択判定処理（Ｓ１００７）にて操作オブジェクトの選択がある場合（Ｙｅｓ）には、選択された操作オブジェクトに関連付けされた操作オブジェクトコンテンツへの切替（Ｓ１００８）を行い、切替後の操作オブジェクトコンテンツに対し、Ｓ１００２からＳ１００６と同様の処理であるＳ１００９からＳ１０１３の処理を行い、ユーザのインタラクティブ操作に対応するように処理を繰り返すように実行する。
【実施例２】
【００４６】
第２の実施例は、情報受信端末装置の表示画面の少なくとも一部を、リモコン装置の制御用のコード情報に対応するキーコードの配列に合わせて領域オブジェクトとして定義し、リモコン装置の操作に伴うインタラクションをリアルタイムに制御することを可能とする情報配信システムを示す図である。【００４７】
図８、図９、図１０は第１の実施例と同様に図３に示した再生／キャプチャコンテンツを原コンテンツとする再生／キャプチャコンテンツ、領域オブジェクト、領域オブジェクトバーレイ表示（１）、領域オブジェクトバーレイ表示（２）を示し、図１１は領域オブジェクトと操作オブジェクト／キーコード表のＤＢ、図１２Ａ、１２Ｂはそれぞれリモコン装置１０１の一例であるＴＶリモコンのキー配列、携帯端末のキー配列の一例を示す。  【００４８】
図８において８０１〜８１２は領域オブジェクト１〜領域オブジェクト１２にコンテンツ画面を１２分割した一例を示している。同図から分かるように領域オブジェクト８０１には、進むボタン３０２が存在し、領域オブジェクト８０４には戻るボタン３０３が存在し、領域オブジェクト８０９にはお勧めサイトボタン３０１が存在することを示している。【００４９】
図９においては前述した領域オブジェクトに対応する、リモコン装置１０１のキーコード情報のオーバーレイ表示を示す。９０１〜９０２は領域オブジェクト情報８０１〜８０９に対応するリモコン装置１０１のキーコード１〜キーコード１２である。【００５０】
図１０に図９の変形であり、領域オブジェクト内に操作オブジェクトが存在する場合のみリモコン装置１０１のキーコードをオーバーレイ表示した場合を示す。【００５１】
１００１〜１００３は領域オブジェクト１８０１に存在する操作オブジェクト２４０２に対するキーコード１、領域オブジェクト４８０４に存在する操作オブジェクトＮ４０３に対するキーコード４、領域オブジェクト９８０９に存在する操作オブジェクト１４０１に対するキーコード９である。これにより常に領域オブジェクトに対応するキーコードをオーバーレイ表示する事無く、操作オブジェクトが存在するキーコードのみ利用者に提示することで操作性の向上が図れる。本実施例によれば、これらの情報を領域オブジェクトと操作オブジェクト／キーコード表のＤＢ化することで表示画面の領域とリモコン装置１０１のキー配列を対応することでリモコン装置１０１の数字キーを押下することでコンテンツの操作が可能となる。【００５２】
図１１は以上説明した実施例２における領域オブジェクトと操作オブジェクト／キーコード表のＤＢ１１００を示している。ＤＢ１１００は、１１０１、１１０２，１１０３、１１０４、１１０５は、それぞれ領域オブジェクト情報、領域オブジェクト内に存在する操作オブジェクト情報、操作内容情報、操作オブジェクト画面位置情報、リモコン装置のボタン情報のＤＢ化を行う。【００５３】
図１２Ａ、１２Ｂにおいては、それぞれ１２０１はＴＶリモコンのキー配列、１２０２は携帯端末のキー配列を示している。本実施例の説明においては、図１１の領域オブジェクトと操作オブジェクト／キーコード表のＤＢ１１００は、ＴＶリモコンのキー配列１２０１を一例に示しているが、このＤＢ表に応じてリモコン装置１０１が備えるキーコードを自由に割り当てることが可能であり、利用者が押下しやすいキーへの割り当てを実現することで操作性の向上が可能となる。【００５４】
次に、図１３、図１４を用いて、本実施例の情報配信装置１０２における、領域オブジェクトによるコンテンツ再生／キャプチャ処理部２０１、コンテンツ変換部２０２、コンテンツ解析処理部２０３、配信処理部２０４の処理の一例を説明する。【００５５】
図１３の処理フローは、図７Ａの処理フロー中の丸Ａの領域オブジェクトの処理を実行するものである。本実施例は操作オブジェクト操作に加え、表示画面領域情報を活用しインタラクティブ操作を実現するものである。Ｓ１３０２からＳ１３０６の処理は、インタラクティブ操作を行う操作オブジェクトを、図９に示したように画面領域を任意の領域に分割し、その領域内に含まれる領域オブジェクトによるインタラクティブ操作を実現するものである。分割された画面領域内に存在する操作オブジェクトにより領域オブジェクト／キーコードオーバーレイ処理（Ｓ１３０６）他の処理フローは、基本的に図７Ｂで説明した処理と同様処理を行うので説明を省略する。【００５６】
図１５は、実施例２の変形例に係り、領域オブジェクトと操作オブジェクトを併用した場合の領域オブジェクトバーレイ表示（３）の一例を示す。１５０１は同一の領域オブジェクト内に存在する複数の操作オブジェクトの進むボタン３０２のキーコード１、１５０２は同一の領域オブジェクト内に存在する複数の操作オブジェクトの戻るボタン３０３のキーコード４である。【００５７】
図１５からわかるように領域オブジェクト８０９にはお勧めサイトボタン３０１へのリモコン装置１０１の操作を可能とするキーコード９・１００３を表示し、領域オブジェクト内にリモコン装置１０１により選択される操作オブジェクトが１つである場合には、リモコンのキーコード９がＤＢ化されそれに対応するＴＶリモコンキー配列１２から数字キー１が対応することになる。領域オブジェクト１８０１には、進むボタン３０２と戻るボタン３０３の２つの操作オブジェクトが存在し、キーコード１・１５０１、キーコード４・１５０２をオーバーレイ表示するように動作する。
【実施例３】
【００５８】
図１６は、第３の実施例に係り、サービスポータルによるサービス提供時の全体システムの一構成を示す図である。１６０１は利用者のサービス加入状況やサービスを享受するためのログイン情報、接続認証情報などの各種情報とサービス利用時に情報受信端末装置１００が接続するサービスポータルである。【００５９】
図１６においては、このサービスポータル１６０１はインターネット１０３に接続されているが、情報配信装置１２０内に構築しても構わない。ネットワークを利用した情報受信端末装置へのサービス提供時にはサービスポータル１６０１のような機能が必要となることは言うまでもない。【００６０】
図１７はインターネット１０３を経由したサービスポータル１６０１を利用したサービス提供時のシステムを構成する各装置処理装置における処理シーケンスの一例を示す図である。なお、便宜上、図中に丸中の数番を（数番）として説明する。図７Ａの処理フローに示した通り、リモコン装置１０１からの（１）ポータルアクセス操作により情報受信端末装置１００は、サービスポータル１６０１に、（２）ログイン認証／装置情報送付を行い、サービスポータル１６０１は、（３）認証処理を行うことで正規のサービス利用者であることなどを判定し、サービス享受のための（４）ポータル画面を情報受信端末装置１００に配信するとともに、情報配信システム１０２中のコンテンツ変換部２０２に直接あるいは間接に（４）’装置情報送付を行い、情報受信端末１００が視聴可能なコンテンツ方式に対応する。【００６１】
情報受信端末装置１００に表示されたポータル画面を用いてリモコン装置１０１が（５）メニュー選択操作を行うと、情報受信端末装置１００がインタラクション解析／制御部２０５に（６）リモコン操作情報送付を行い、インタラクション解析／制御部２０５が（７）インタラクション解析とコンテンツ選択の制御を行う。それに基づきコンテンツ再生キャプチャ処理部２０１は、（８）再生／キャプチャを開始する。コンテンツ変換部２０２は、先に送付された（４）’装置情報に基づきコンテンツ形式の変換を行い、コンテンツ解析処理部２０３にて（９）情報制御オブジェクト解析／コンテンツオーバーレイ処理を行い、コンテンツデータとリモコン操作のためのキーコード情報をオーバーレイし、配信処理部２０４から、（１０）コンテンツ配信を行い、（１１）情報制御／領域オブジェクト選択により同様のシーケンス処理が（１２）停止されるまで繰り返すように実行する。【００６２】
以上述べたように、本発明によれば、リモコン装置１０１において、情報受信端末装置が視聴可能なコンテンツ形式にコンテンツ変換し映像化されたコンテンツのインタラクティブ操作が可能となり、あらゆる種類の情報受信端末装置へも個別にコンテンツを製作すること無くインタラクティブなサービスの提供が可能となる。
【産業上の利用可能性】
【００６３】
本発明は、利用者のリモコン操作による双方向操作処理方法および情報配信システム、特に情報配信システムにおける利用者のリモコン操作制御を容易にする情報配信技術として有用である。
【符号の説明】
【００６４】
１００…情報受信端末装置
１０１…リモコン装置
１０２…情報配信装置
１０３…インターネット
２０１…コンテンツ再生／キャプチャ制御部
２０２…コンテンツ変換部
２０３…コンテンツ解析処理部
２０４…配信処理部
３０１…再生／キャプチャコンテンツ
３０２…お勧めサイトボタン
３０３…進むボタン
３０４…戻るボタン
４０１…操作オブジェクト１
４０２…操作オブジェクト２
４０３…操作オブジェクト３
５０１…キーコード１
５０２…キーコード２
５０３…キーコードＮ
８０１〜８１２…領域オブジェクト
９０１〜９１２…領域オブジェクトのキーコード
１００１〜１０１３…領域オブジェクト内に存在する操作オブジェクトのキーコード
１２０１…ＴＶリモコン
１２０２…携帯端末
１５０１，１５０２…同一の領域オブジェクト無いに存在する操作オブジェクトのキーコード
１６０１…サービスポータル。
【図１】
2011068055.tif 000003
【図２】
2011068055.tif 000004
【図３】
2011068055.tif 000005
【図４】
2011068055.tif 000006
【図５】
2011068055.tif 000007
【図６Ａ】
2011068055.tif 000008
【図６Ｂ】
2011068055.tif 000009
【図７Ａ】
2011068055.tif 000010
【図７Ｂ】
2011068055.tif 000011
【図８】
2011068055.tif 000012
【図９】
2011068055.tif 000013
【図１０】
2011068055.tif 000014
【図１１】
2011068055.tif 000015
【図１２Ａ】
2011068055.tif 000016
【図１２Ｂ】
2011068055.tif 000017
【図１３】
2011068055.tif 000018
【図１４】
2011068055.tif 000019
【図１５】
2011068055.tif 000020
【図１６】
2011068055.tif 000021
【図１７】
2011068055.tif 000022
【国際調査報告】
2011068055.tif 000023
2011068055.tif 000024
2011068055.tif 000025
2011068055.tif 000026